(57)【要約】【課題】連鎖販売取引のレベルバイナリー方式において、商品の種類ごとに予め決められたポイントを、ひとつのポジションで複数取得可能とすることにより、複数商品の取扱いと効果的活動促進を容易にする。【解決手段】商品の種類及び購入数量をもとに、ポイント判断手段３２が、商品ポイント記憶手段３０を参照して会員の取得するポイントを計算し、レベル判断手段３５が、会員の各ポジションについて、会員情報記憶手段１２に記憶されている組織情報を順次辿ってその会員から連なるリンク経路上で発生した各ポイントを取得し、そのポイントに基づいて所定のレベルを判断する。ボーナス計算手段４５が、ポイント、レベル、組織情報のうち一又は二以上の組合せと、ボーナス計算基準記憶手段４０に記憶されているボーナス計算基準と、に基づいて、支払うボーナス金額を計算する。【選択図】図２
2009146156.tif 000002
【特許請求の範囲】
【請求項１】
登録された会員がレベルバイナリーを構成する連鎖販売取引に関する情報を処理する情報処理システムにおいて、
会員登録の際に、登録される会員がレベルバイナリーにおいてどの会員とリンクするかの指定を受け付け、その指定に応じ会員間のリンク関係を表す組織情報を所定の組織情報記憶手段に記憶させる登録受付手段と、
商品の種類と、与えるポイントと、を対応付けて予め記憶する商品ポイント記憶手段と、
会員のポジションごとに、購入した商品の種類及び購入数量を購買実績として入力受付するとともに所定の購買実績記憶手段に記憶させる購買情報受付手段と、
会員のポジションごとに、前記購買実績記憶手段に記憶されている前記商品の種類及び購入数量をもとに前記商品ポイント記憶手段を参照することによりポイントを計算し、所定の会員ポイント記憶手段に記憶させる、ポイント判断手段と、
会員の各ポジションについて、前記組織情報記憶手段に記憶されている前記組織情報を順次辿ることにより、その会員から連なるリンク経路上で発生した前記ポイントに基づいて所定のレベルを判断し所定のレベル記憶手段に記憶させるレベル判断手段と、
を有することを特徴とする情報処理システム。
【請求項２】
レベルバイナリーにおいて左右ラインに分岐しながら順次リンクする下位会員のグループを持つポジションについて、下位会員のポイントの集計値と、前記ポイントに基づくレベルと、に基づいて、支払うボーナスをどのような基準もしくは数式で計算するかを表したボーナス計算基準を予め記憶した、ボーナス計算基準記憶手段と、
前記下位会員のグループを持つポジションについて、各下位会員について前記会員ポイント記憶手段に記憶されている各ポジションの前記ポイントもしくはその集計値と、前記レベル記憶手段に記憶されている前記レベルと、前記ボーナス計算基準記憶手段に記憶されている前記ボーナス計算基準と、に基づいて、支払うボーナス金額を計算するボーナス計算手段と、
前記ボーナス計算手段が計算したボーナス金額を出力する出力手段と、
を有することを特徴とする請求項１記載の情報処理システム。
【請求項３】
会員のメインポジションに基づく追加ポジションの追加要求を受け付けるとともに、その追加要求に基づいて、前記組織情報記憶手段に記憶され前記メインポジションに直接連なる組織情報について、前記追加ポジションとのリンクに変更もしくは追加することにより、前記追加ポジションを前記メインポジションの直下に追加する、追加手段
を有することを特徴とする請求項１又は２記載の情報処理システム。
【請求項４】
前記ポイント判断手段、前記レベル判断手段、前記ボーナス計算手段は、前記追加ポジションについても前記メインポジションに準じて前記各計算の対象とするように構成された
ことを特徴とする請求項３記載の情報処理システム。
【請求項５】
登録された会員がレベルバイナリーを構成する連鎖販売取引に関する情報を処理する情報処理システムの制御方法において、
会員登録の登録受付手段と、商品の購買情報受付手段と、商品の種類と与えるポイントとを対応付けて予め記憶する商品ポイント記憶手段と、商品購買に基づくポイント判断手段と、商品購買に基づくレベル判断手段と、をコンピュータの演算制御部が実現すると共に、
前記登録受付手段により、会員登録の際に、登録される会員がレベルバイナリーにおいてどの会員とリンクするかの指定を受け付け、その指定に応じ会員間のリンク関係を表す組織情報を所定の組織情報記憶手段に記憶させる処理ステップと、
前記購買情報受付手段により、会員のポジションごとに、購入した商品の種類及び購入数量を購買実績として入力受付するとともに所定の購買実績記憶手段に記憶させる処理ステップと、
前記ポイント判断手段により、会員のポジションごとに、前記購買実績記憶手段に記憶されている前記商品の種類及び購入数量をもとに前記商品ポイント記憶手段を参照することによりポイントを計算し、所定の会員ポイント記憶手段に記憶させる、処理ステップと、
前記レベル判断手段により、会員の各ポジションについて、前記組織情報記憶手段に記憶されている前記組織情報を順次辿ることにより、その会員から連なるリンク経路上で発生した前記ポイントに基づいて所定のレベルを判断し所定のレベル記憶手段に記憶させる処理ステップと、
を含むことを特徴とする情報処理システムの制御方法。
【請求項６】
レベルバイナリーにおいて左右ラインに分岐しながら順次リンクする下位会員のグループを持つポジションについて、下位会員のポイントの集計値と、前記ポイントに基づくレベルと、に基づいて、支払うボーナスをどのような基準もしくは数式で計算するかを表したボーナス計算基準を予め記憶した、ボーナス計算基準記憶手段と、
報酬計算のためのボーナス計算手段と、計算結果の出力手段と、を前記演算制御部が実現すると共に、
前記ボーナス計算手段により、前記下位会員のグループを持つポジションについて、各下位会員について前記会員ポイント記憶手段に記憶されている各ポジションの前記ポイントもしくはその集計値と、前記レベル記憶手段に記憶されている前記レベルと、前記ボーナス計算基準記憶手段に記憶されている前記ボーナス計算基準と、に基づいて、支払うボーナス金額を計算する処理ステップと、
前記出力手段により、前記ボーナス計算手段で計算したボーナス金額を出力する処理ステップと、
を含むことを特徴とする請求項５記載の情報処理システムの制御方法。
【請求項７】
会員登録の追加手段を、前記演算制御部が実現すると共に、
前記追加手段により、会員のメインポジションに基づく追加ポジションの追加要求を受け付けるとともに、その追加要求に基づいて、前記組織情報記憶手段に記憶され前記メインポジションに直接連なる組織情報について、前記追加ポジションとのリンクに変更もしくは追加することにより、前記追加ポジションを前記メインポジションの直下に追加する、処理ステップを含む
ことを特徴とする請求項５又は６記載の情報処理システムの制御方法。
【請求項８】
登録された会員がレベルバイナリーを構成する連鎖販売取引に関する情報を処理する情報処理システムの制御プログラムにおいて、
そのプログラムは、コンピュータの演算制御部を制御することにより、
会員登録の登録受付手段と、商品の購買情報受付手段と、商品の種類と与えるポイントとを対応付けて予め記憶する商品ポイント記憶手段と、商品購買に基づくポイント判断手段と、商品購買に基づくレベル判断手段と、を実現すると共に、
前記登録受付手段に、会員登録の際に、登録される会員がレベルバイナリーにおいてどの会員とリンクするかの指定を受け付けさせると共に、その指定に応じ会員間のリンク関係を表す組織情報を所定の組織情報記憶手段に記憶させ、
前記購買情報受付手段に、会員のポジションごとに、購入した商品の種類及び購入数量を購買実績として入力受付させるとともに所定の購買実績記憶手段に記憶させ、
前記ポイント判断手段に、会員のポジションごとに、前記購買実績記憶手段に記憶されている前記商品の種類及び購入数量をもとに前記商品ポイント記憶手段を参照することによりポイントを計算させると共に、所定の会員ポイント記憶手段に記憶させ、
前記レベル判断手段に、会員の各ポジションについて、前記組織情報記憶手段に記憶されている前記組織情報を順次辿ることにより、その会員から連なるリンク経路上で発生した前記ポイントを読み出させ、そのポイントに基づいて所定のレベルを判断させ所定のレベル記憶手段に記憶させる
ことを特徴とする情報処理システムの制御プログラム。
【請求項９】
前記演算制御部を制御することにより、会員登録の追加手段を実現すると共に、
前記追加手段に、会員のメインポジションに基づく追加ポジションの追加要求を受け付けさせるとともに、その追加要求に基づいて、前記組織情報記憶手段に記憶され前記メインポジションに直接連なる組織情報について、前記追加ポジションとのリンクに変更もしくは追加することにより、前記追加ポジションを前記メインポジションの直下に追加させる
ことを特徴とする請求項８記載の情報処理システムの制御プログラム。
【発明の詳細な説明】
【技術分野】
【０００１】
本発明は、連鎖販売取引のレベルバイナリー方式において、ひとつのポジションでのポイント、レベル、ボーナスの算出の自由度を増大する技術に関する。
【背景技術】
【０００２】
近年、経済活動の高度化多様化に伴い、会員が商品購入や新規会員獲得に応じて利益配分を受ける連鎖販売取引が急速に普及拡大し、マルチレベルマーケティングやネットワークビジネスなどとも呼ばれている。
【０００３】
連鎖販売取引では、会員が登録したときに、取引上の立場であるポジションが設けられ、他者を勧誘し新規会員として参加させると、その新規会員はいわば子会員として、親会員のポジションの下流側にリンクされ、その子会員がさらに孫会員を勧誘しリンクすることを繰り返し、ピラミッド型のグループが形成される。そして定期的に、グループ内の商品購入数や階層レベル数などに基づき、ボーナスなどの報酬が支払われて会員の収入となる。
【０００４】
このような連鎖販売取引の一態様にレベルバイナリーがあり、単に「バイナリー」とも呼ぶ。バイナリーは、会員登録すると自分のポジション（以下「メインポジション」と呼ぶ）に加え、メインポジションから左右二系列のラインが発生し、自分が紹介した会員を任意のラインに配置してゆけるシステムである。
【０００５】
図６は、レベルバイナリーの概念図であり、主催会社から、まず１次購入者が商品を購入し、自分が勧誘し自分の右と左に連なる登録会員である２次購入者２人にその商品を販売し、それら２人の２次購入者も同様に合計４人の３次購入者に商品を販売する。このような勧誘や取引をｎ次購入者まで繰り返すことにより、優れた商品が広く世に流通する。
【０００６】
このようなレベルバイナリーの細部は、主催会社などにより多様であるが、以下に典型例を挙げる。すなわち、ボーナスなどと呼ばれる収入を得るには、所定の最低数量の商品購入が条件であり、会員は自分のポジションで前記最低数量（例えば、１個、１箱など）の商品を購入する事によって１ポジションに１ポイント得る事になる。そして、各会員については、自分から始まる左右各ラインのポイントと、ポイント取得しているポジションの数（以後レベルと呼ぶ）から、主催会社ごとの計算ルールに基づいて計算されるボーナスを受け取る。
【０００７】
基本的なボーナスとして、左右の各ポイント数のうち多い方又は少ない方から算出するサイクルボーナスと、左右の直下からそれぞれ開始する連鎖である左ラインと右ラインのうち、一番深いレベル数すなわち組織内でポイント取得しているポジションの段数から算出するレベルボーナスの２種類がある。例えば、図７の例は、下流から上流へ向けてポイントを累積的に集計する結果をもとにポイントやレベルが決まる例である。
【０００８】
この例では、右ラインが積算値４で４レベル、左ラインが積算値３で３レベルであり、これらをもとに、親会員Ａについては、少ない方である左ラインの積算値３に基づく３ポイントと判断し、レベルについても、少ない方である左ラインの３レベルとなる。そのラインでポイント取得しているポジション段数である「２」レベルと、に基づき、予め定められた基準でボーナスが計算される。
【０００９】
計算の例として、例えば、３ポイント×単価１０００円＝３０００円と、３レベル×単価４０００円＝１２０００円で合計１５０００円、などが考えられる。そして、以上のような情報処理を行うコンピュータシステムも従来から利用されている（例えば、特許文献１参照）。
【特許文献１】特開２００４−２２７０４４号公報
【特許文献２】特開２００５−１４１６０９号公報
【発明の開示】
【発明が解決しようとする課題】
【００１０】
しかしながら、上記のような従来技術では、ボーナスとして収入を得る条件として定められた所定の最低数量の商品購入があった会員の１ポジションごとに、１ポイント、１レベルとカウントし計算のうえボーナス算出を行っていた。このため、会員が一つのポジションで余分に商品を購入してもポイント、レベルに反映されず、例えば同じ１ポイントのまま、同じ１レベルのままであった。この結果、会員が取得できるポイントやレベルは、グループ内のポジション数や段数から定まる所定範囲で頭打ちとなり、それ以上は取得が望みにくい限界があった。
【００１１】
したがって、会員は収入を得る上記の最低数量以上の購入を自身がする必要がなく、より多くの商品を購入する動機付けに欠け、主催者は、価格の異なった複数種類の商品を取り扱う事も事実上困難であった。なお、購入数量をマージンなどの紹介料に反映させる提案は存在したが（例えば、特許文献２参照）、主催者が事情に応じて複数の価格帯や種類の商品の販売促進をきめ細かく制御できる技術ではなく、そのような技術が求められていた。
【００１２】
また、会員は、最初に登録したメインポジションとは別に、追加ポジションを後に登録できるが、従来、その追加ポジションは任意の場所ではなく、自分から始まるグループの最後尾に配置されていた。この場合、ボーナス計算に参入される最大レベル数が有限で、追加ポジションがそのレベル数を超える場合、会員本人の収入アップには直結せず、活動拡大の動機付けには不十分であった。
【００１３】
本発明は、上記のような従来技術の課題を解決するもので、その目的は、連鎖販売取引のレベルバイナリー方式において、商品の種類ごとに予め決められたポイントを、ひとつのポジションで複数取得可能とすることにより、複数商品の取扱いと効果的活動促進を容易にすることである。
【００１４】
また、本発明の他の目的は、分岐点となる追加ポジションをいつでも自分の直下に挿入可能とすることにより、組織拡大を効果的に促進することである。
【課題を解決するための手段】
【００１５】
上記の目的をふまえ、本発明の一態様は、登録された会員がレベルバイナリーを構成する連鎖販売取引に関する情報を処理する情報処理システムにおいて、会員登録の際に、登録される会員がレベルバイナリーにおいてどの会員とリンクするかの指定を受け付け、その指定に応じ会員間のリンク関係を表す組織情報を所定の組織情報記憶手段に記憶させる登録受付手段と、商品の種類と、与えるポイントと、を対応付けて予め記憶する商品ポイント記憶手段と、会員のポジションごとに、購入した商品の種類及び購入数量を購買実績として入力受付するとともに所定の購買実績記憶手段に記憶させる購買情報受付手段と、会員のポジションごとに、前記購買実績記憶手段に記憶されている前記商品の種類及び購入数量をもとに前記商品ポイント記憶手段を参照することによりポイントを計算し、所定の会員ポイント記憶手段に記憶させる、ポイント判断手段と、会員の各ポジションについて、前記組織情報記憶手段に記憶されている前記組織情報を順次辿ることにより、その会員から連なるリンク経路上で発生した前記ポイントに基づいて所定のレベルを判断し所定のレベル記憶手段に記憶させるレベル判断手段と、を有することを特徴とする。
【００１６】
本発明の他の態様は、上記態様を方法という見方からとらえたもので、登録された会員がレベルバイナリーを構成する連鎖販売取引に関する情報を処理する情報処理システムの制御方法において、会員登録の登録受付手段と、商品の購買情報受付手段と、商品の種類と与えるポイントとを対応付けて予め記憶する商品ポイント記憶手段と、商品購買に基づくポイント判断手段と、商品購買に基づくレベル判断手段と、をコンピュータの演算制御部が実現すると共に、前記登録受付手段により、会員登録の際に、登録される会員がレベルバイナリーにおいてどの会員とリンクするかの指定を受け付け、その指定に応じ会員間のリンク関係を表す組織情報を所定の組織情報記憶手段に記憶させる処理ステップと、前記購買情報受付手段により、会員のポジションごとに、購入した商品の種類及び購入数量を購買実績として入力受付するとともに所定の購買実績記憶手段に記憶させる処理ステップと、前記ポイント判断手段により、会員のポジションごとに、前記購買実績記憶手段に記憶されている前記商品の種類及び購入数量をもとに前記商品ポイント記憶手段を参照することによりポイントを計算し、所定の会員ポイント記憶手段に記憶させる、処理ステップと、前記レベル判断手段により、会員の各ポジションについて、前記組織情報記憶手段に記憶されている前記組織情報を順次辿ることにより、その会員から連なるリンク経路上で発生した前記ポイントに基づいて所定のレベルを判断し所定のレベル記憶手段に記憶させる処理ステップと、を含むことを特徴とする。
【００１７】
本発明の他の態様は、上記態様をコンピュータプログラムという見方からとらえたもので、登録された会員がレベルバイナリーを構成する連鎖販売取引に関する情報を処理する情報処理システムの制御プログラムにおいて、そのプログラムは、コンピュータの演算制御部を制御することにより、会員登録の登録受付手段と、商品の購買情報受付手段と、商品の種類と与えるポイントとを対応付けて予め記憶する商品ポイント記憶手段と、商品購買に基づくポイント判断手段と、商品購買に基づくレベル判断手段と、を実現すると共に、前記登録受付手段に、会員登録の際に、登録される会員がレベルバイナリーにおいてどの会員とリンクするかの指定を受け付けさせると共に、その指定に応じ会員間のリンク関係を表す組織情報を所定の組織情報記憶手段に記憶させ、前記購買情報受付手段に、会員のポジションごとに、購入した商品の種類及び購入数量を購買実績として入力受付させるとともに所定の購買実績記憶手段に記憶させ、前記ポイント判断手段に、会員のポジションごとに、前記購買実績記憶手段に記憶されている前記商品の種類及び購入数量をもとに前記商品ポイント記憶手段を参照することによりポイントを計算させると共に、所定の会員ポイント記憶手段に記憶させ、前記レベル判断手段に、会員の各ポジションについて、前記組織情報記憶手段に記憶されている前記組織情報を順次辿ることにより、その会員から連なるリンク経路上で発生した前記ポイントを読み出させ、そのポイントに基づいて所定のレベルを判断させ所定のレベル記憶手段に記憶させることを特徴とする。
【００１８】
このように、商品の価格帯など種類ごとに予め定めたポイントを、購買実績に応じて一つのポジションでいくつでも取得させ、またレベルにも反映可能とすることにより、ポイントやレベルの頭打ちが避けられ、異なる価格帯など複数種類の商品アイテムの設定取扱いと販売が容易となり、効果的な販売活動促進と組織拡大が可能となる。特に、商品の種類と種類ごとのポイント設定を見直すことで、主催者が事情に応じて複数の価格帯や種類の商品の販売促進をきめ細かく制御可能となる。
【００１９】
本発明の他の態様は、さらに、レベルバイナリーにおいて左右ラインに分岐しながら順次リンクする下位会員のグループを持つポジションについて、下位会員のポイントの集計値と、前記ポイントに基づくレベルと、に基づいて、支払うボーナスをどのような基準もしくは数式で計算するかを表したボーナス計算基準を予め記憶した、ボーナス計算基準記憶手段と、前記下位会員のグループを持つポジションについて、各下位会員について前記会員ポイント記憶手段に記憶されている各ポジションの前記ポイントもしくはその集計値と、前記レベル記憶手段に記憶されている前記レベルと、前記ボーナス計算基準記憶手段に記憶されている前記ボーナス計算基準と、に基づいて、支払うボーナス金額を計算するボーナス計算手段と、前記ボーナス計算手段が計算したボーナス金額を出力する出力手段と、を有することを特徴とする。
【００２０】
本発明の他の態様は、上記態様を方法という見方からとらえたもので、レベルバイナリーにおいて左右ラインに分岐しながら順次リンクする下位会員のグループを持つポジションについて、下位会員のポイントの集計値と、前記ポイントに基づくレベルと、に基づいて、支払うボーナスをどのような基準もしくは数式で計算するかを表したボーナス計算基準を予め記憶した、ボーナス計算基準記憶手段と、報酬計算のためのボーナス計算手段と、計算結果の出力手段と、を前記演算制御部が実現すると共に、前記ボーナス計算手段により、前記下位会員のグループを持つポジションについて、各下位会員について前記会員ポイント記憶手段に記憶されている各ポジションの前記ポイントもしくはその集計値と、前記レベル記憶手段に記憶されている前記レベルと、前記ボーナス計算基準記憶手段に記憶されている前記ボーナス計算基準と、に基づいて、支払うボーナス金額を計算する処理ステップと、前記出力手段により、前記ボーナス計算手段で計算したボーナス金額を出力する処理ステップと、を含むことを特徴とする。
【００２１】
このように、下位会員のグループを持つ会員のポジションについて、購買実績に基づくポイント、レベル、組織情報に基づいてボーナスを算出し支払うことにより、自分や下位会員の購買数量を増やす努力、下位会員の活動を継続してもらう努力、レベルバイナリーにおけるグループの形に関する工夫が報いられ、販売活動や組織拡大が効果的に促進される。また、そのボーナス計算基準を状況やポリシーなどに応じ改定することにより、連鎖販売取引の主催者が環境変化や発展段階に応じて、取引の組織と活動を適切に制御することが容易になる。
【００２２】
本発明の他の態様は、さらに、会員のメインポジションに基づく追加ポジションの追加要求を受け付けるとともに、その追加要求に基づいて、前記組織情報記憶手段に記憶され前記メインポジションに直接連なる組織情報について、前記追加ポジションとのリンクに変更もしくは追加することにより、前記追加ポジションを前記メインポジションの直下に追加する、追加手段を有することを特徴とする。
【００２３】
本発明の他の態様は、上記態様を方法という見方からとらえたもので、会員登録の追加手段を、前記演算制御部が実現すると共に、前記追加手段により、会員のメインポジションに基づく追加ポジションの追加要求を受け付けるとともに、その追加要求に基づいて、前記組織情報記憶手段に記憶され前記メインポジションに直接連なる組織情報について、前記追加ポジションとのリンクに変更もしくは追加することにより、前記追加ポジションを前記メインポジションの直下に追加する、処理ステップを含むことを特徴とする。
【００２４】
本発明の他の態様は、上記態様をコンピュータプログラムという見方からとらえたもので、前記演算制御部を制御することにより、会員登録の追加手段を実現すると共に、前記追加手段に、会員のメインポジションに基づく追加ポジションの追加要求を受け付けさせるとともに、その追加要求に基づいて、前記組織情報記憶手段に記憶され前記メインポジションに直接連なる組織情報について、前記追加ポジションとのリンクに変更もしくは追加することにより、前記追加ポジションを前記メインポジションの直下に追加させることを特徴とする。
【００２５】
このように、従来と異なりポイントの発生した下位会員数でボーナスが頭打ちとならない本発明において、会員が追加ポジションをメインポジションと同時に限らずいつでも、グループの最後尾に限らず自分の直下に挿入可能とすることにより、自己購入分がボーナス計算の対象とならない場合でも追加ポジションで購入しメインポジションのボーナスに反映可能となる。また、追加ポジションを新たな分岐点として、自分に近い位置から開始する新組織を積極的に構築し報酬を受ける動機付けにより、組織拡大と販売活動促進も容易になる。
【００２６】
本発明の他の態様は、さらに、前記ポイント判断手段、前記レベル判断手段、前記ボーナス計算手段は、前記追加ポジションについても前記メインポジションに準じて前記各計算の対象とするように構成されたことを特徴とする。
【００２７】
このように、メインポジションの直下に配置した追加ポジションについても、メインポジションと同様にポイント、レベル、ボーナスの計算対象とすることにより、自分や家族などの消費分を追加ポジションで購入する動機強化となり、また、追加ポジションに連なる新たな会員を勧誘登録することで自分に連なる組織も拡大可能となるので、商材の販売と組織の拡大が効果的に促進可能となる。
【発明の効果】
【００２８】
以上のように、本発明によれば、連鎖販売取引のレベルバイナリー方式において、商品の種類ごとに予め決められたポイントを、ひとつのポジションで複数取得可能とすることにより、複数商品の取扱いと効果的活動促進を容易にすることが可能となる。
【発明を実施するための最良の形態】
【００２９】
次に、本発明を実施するための最良の実施形態について、図に沿って説明する。なお、背景技術や課題での説明と共通の前提事項は適宜省略する。
【００３０】
〔１．構成〕
本実施形態は、登録された会員がレベルバイナリーを構成する連鎖販売取引に関する情報を処理する情報処理システム（以下「本システム」と呼ぶ）であって、図１のハードウェア構成図に例示するような一般的構成のコンピュータで実現可能である。この図の構成では、基板上に構築される処理部１００が、制御部や演算部を含むＣＰＵなどの中央処理装置（演算制御部とも呼ぶ）１１０と、メモリすなわち主記憶装置１２０と、を有し、入出力インターフェース１３０を介して接続された入力装置１４０と出力装置１５０で入出力を行いながら、本システムを構成する。
【００３１】
具体的には、図２の構成図に示すように、本システムは、会員の登録受付手段１０と、登録された会員の情報を記憶する会員情報記憶手段１２と、会員登録の追加手段１５と、会員による商品購入の情報を受付記憶するための購買情報受付手段２０及び購買実績記憶手段２５と、を有する。
【００３２】
また、本システムは、商品の種類と、与えるポイントと、を対応付けて予め記憶する商品ポイント記憶手段３０と、ボーナス計算のもととなるポイント及びレベルをそれぞれ計算するポイント判断手段３２及びレベル判断手段３５と、これらポイント及びレベルを記憶するポイント記憶手段とレベル記憶手段を兼ねたポイント・レベル記憶集計手段３８と、を有する。
【００３３】
また、本システムは、会員に支払うボーナスについて、ボーナス計算基準を記憶するボーナス計算基準記憶手段４０と、ボーナスを計算するボーナス計算手段４５と、計算したボーナス金額の出力手段５０と、を有する。ここで、ボーナス計算基準記憶手段４０に予め記憶しておくボーナス計算基準は、レベルバイナリーにおいて左右ラインに分岐しながら順次リンクする下位会員のグループを持つポジションについて、下位会員のポイントの集計値と、前記ポイントに基づくレベルと、に基づいて、支払うボーナスをどのような基準もしくは数式で計算するかを表したものであり、具体的には主催会社が自由に定める。
【００３４】
以上の各要素１０〜５０は、電子回路により、もしくはコンピュータのＣＰＵなどの演算制御部（図１の中央処理装置１１０）を所定の制御プログラムで制御することにより実現するもので、以下のような各作用効果を実現実行する処理手段である。
【００３５】
〔２．作用〕
すなわち、上記のように構成された本実施形態では、登録受付手段１０が、会員もしくは主催会社担当者など所定の者から会員登録を受け付ける際、登録される会員の住所等の情報に加え、その会員がレベルバイナリーにおいてどの会員とリンクするかの指定を受け付け、その指定に応じ会員間のリンク関係を表す組織情報を、組織情報記憶手段を兼ねる会員情報記憶手段１２に記憶させる。組織情報の例は、図２に示すように、新規会員Ｄが会員Ｂの左下位にリンクする、といったものである。登録された各会員は、他の会員とリンクされた取引上の立場すなわちポジションを持つ。
【００３６】
そして、購買情報受付手段２０は、上記のように登録された各会員のポジションごとに、購入した商品の種類及び購入数量、日付などを含む購買実績について、会員もしくは主催会社担当者など所定の者から入力受付するとともに、購買実績記憶手段２５に記憶させる。
【００３７】
また、会員のポジションごとに上記のように購買実績記憶手段２５に購買実績として記憶されている商品の種類及び購入数量をもとに、ポイント判断手段３２が、商品ポイント記憶手段３０を参照することにより会員の取得するポイントを計算し、会員ポイント記憶手段であるポイント・レベル記憶集計手段３８に記憶させる。
【００３８】
そして、例えば月単位で集計として、レベル判断手段３５が、会員の各ポジションについて、会員情報記憶手段１２に記憶されている前記組織情報を順次辿ることにより、その会員から連なるリンク経路上で発生した各ポイントを読み出し、そのポイントに基づいて所定のレベルを判断し、レベル記憶手段を兼ねるポイント・レベル記憶集計手段３８に記憶させる。
【００３９】
また、ボーナス計算手段４５が、下位会員のグループを持つポジションについて、各下位会員についてポイント・レベル記憶集計手段３８に記憶されている各ポジションのポイントもしくはその集計値と、ポイント・レベル記憶集計手段３８に記憶されているレベルと、ボーナス計算基準記憶手段４０に記憶されている前記ボーナス計算基準と、に基づいて、支払うボーナス金額を計算し、このようにボーナス計算手段４５が計算したボーナス金額を出力手段５０が、明細出力印刷や、振込指示データなどの形で出力する。
【００４０】
また、追加手段１５は、会員のメインポジションに基づく追加ポジションの追加要求を、会員もしくは主催会社担当者など所定の者から受け付けるとともに、その追加要求に基づいて、会員情報記憶手段１２に記憶され前記メインポジションに直接連なる組織情報について、前記追加ポジションとのリンクに変更もしくは追加することにより、その追加ポジションをメインポジションの直下に追加する。
【００４１】
この際、追加の態様は自由であり、例えば、バイナリーの左右にそれぞれ既に下位会員が存在する場合、いずれか一方の既存下位会員との間に追加ポジションを挿入する形をとれば、追加ポジションの左右のいずれか一方はその既存会員とリンクされるが、他方が空きとなるので、そこから新たな組織を構築可能である。この場合、その新たな組織は自分の直下からスタートするので、ボーナス算定対象のレベル数を所定の深さに限定する場合でも、組織拡大の努力が従来よりも報いられる。また、既にふさがっている左右のリンクとは別の第三のリンクとして、追加ポジションを追加するようにしてもよい。
【００４２】
そして、上記のように追加した追加ポジションについても、ポイント判断手段３２、レベル判断手段３５、ボーナス計算手段４５が、メインポジションに準じて、ポイント、レベル、ボーナスの計算（判断を含む）の対象とすることにより、販売や組織拡大が一層効果的に促進される。
【００４３】
〔３．シーケンス図〕
ここで、本システムを用いる連鎖販売取引について、会員の活動からボーナス支給までのシーケンス図を、図３に示す。この図は、図３左方のある上位会員が自ら主催会社に会員登録のうえ（ステップＳ２０１）、他の会員勧誘や商品販売などの代理店活動を行い（ステップＳ２０２）、勧誘された会員も会員登録のうえ（ステップＳ１０１）同様に代理店活動を行う例で（ステップＳ１０２）、上位会員は自分が勧誘した下位の会員に対し教育や訓練などを適宜実施する（ステップＳ２０３）。
【００４４】
主催会社は、図２に示した本システムであるサーバーに、会員登録状況を受信・蓄積させるほか（ステップＳ４０１）、会員による商品の購買実績を含む活動実績情報を収集し（ステップＳ３０１）、その情報も受信・蓄積し（ステップＳ４０２）それに基づいて、例えば所定の締め日を基準に報酬算出を開始する（ステップＳ４０３）。ここで、サーバーより右側の「末端会員１計算」から「上位会員ｎ計算」までは、サーバーとして実現される図１及び図２の本システムにおいて、ポイントの認識からボーナスすなわち報酬の算出に至る計算処理の一部ずつを概念的に表すものである。
【００４５】
なお、実際のボーナス計算基準については、例えば、ポイント、レベル、組織情報のうちいくつを計算に利用するか、また、例えばバイナリーにおいて自分の右下位に連なる各下位会員（「右ライン」と呼ぶこととする）と、左下位に連なる各下位会員（「左ライン」と呼ぶこととする）のうち、ポイントやレベルが多い側を基準とするか少ない側を基準とするかなども自由であり、本実施形態での説明は一例に過ぎない。
【００４６】
すなわち、最上位の上位会員ｎから始まるピラミッド構造が末端会員１〜ｎを含む場合（図３）、まず各末端会員１について、自己購入分によるポイントを認識（読み出し又は計算もしくは判定することにより取得することを意味する。以下同様）し（ステップＳ５０１）、それを上位の計算プロセスに引き渡すなど所定の上位計上を行う（ステップＳ５０２）。同様の処理を末端会員２（ステップＳ６０１，Ｓ６０２）→末端会員ｎ（ステップＳ７０１，Ｓ７０２）まで行ったうえ、末端でない各上位会員１〜ｎについては、次のような処理を行う。
【００４７】
すなわち、自己購入分のポイントを認識し（ステップＳ８０１）、それを、下位会員から上位計上され認識し右又は左の最多ポイント（ステップＳ８０２）に加算して上位計上したうえ（ステップ８０３）、自分のボーナスの計算を開始する（ステップＳ８０４）。
【００４８】
ここで、上位計上として下位左右のうち最多ポイントに自分のポイントを加算して上位会員ｎに渡しながら、上位会員１自身のボーナス計算にはそれと異なる基準も適用する運用も可能であり、例えば、自分のボーナス計算では（ステップＳ８０４〜）、改めて右ラインから上位計上されてきた最多ポイントと（ステップＳ８０５）、反対側の左ラインの最多ポイントをもとに（ステップＳ８０６）、両者の平均や少ない方などを基準とすることもできる。
【００４９】
最上位の上位会員ｎについても、上位集計を除いて、同様に算出が終了すると（ステップＳ９０１〜Ｓ９０６）、この算出終了を受けてサーバーは（ステップＳ４０４）、ボーナス金額の情報を出力することにより主催会社に報酬支給を行わせる（ステップＳ３０２）。
【００５０】
〔４．フローチャートの例〕
続いて、以上のような作用に対応する、本システムによる処理手順の一例を図４のフローチャートに示す。すなわち、登録受付手段１０は、購入者として会員登録を入力受付し（ステップＳ０１）会員間をリンクする組織情報の登録により組織を構築する（ステップＳ０２）。また、購買情報受付手段２０は購入商品の入力を受け付け（ステップＳ０３）、その購買情報に基づきポイント判断手段３２が追加で発生するポイントを計算して（ステップＳ０４）ポイント・レベル記憶集計手段３８に取引ごとに記憶しもしくは既に記憶されたその会員のポイントに加算しポイントの合計として蓄積する（ステップＳ０５）。
【００５１】
そして、これら購買情報やポイントをボーナス計算月など所定時期ごとに締め切り（ステップＳ０６）、代理店活動を行って報酬としてボーナスを受け取る代理店契約をしている会員については（ステップＳ０７）、ボーナス計上の対象とするボーナス計上月に所定最低数量の購入があれば（ステップＳ０８）、以下のようなボーナス計算の対象とする（ステップＳ０９〜）。
【００５２】
ボーナス計算は、例えばある最上位会員のメインポジションについて開始し（ステップＳ０９）、会員情報記憶手段１２に記憶された組織情報に基づき、組織末端会員の検出から開始し（ステップＳ１０）、各会員の購入によるポイントの合計を読み出しもしくは計算しては（ステップＳ１１）、その会員のレベルを判断し、ポイントと共に上位集計してゆく（ステップＳ１２）。
【００５３】
ポイントやレベルに、自分の購入分を反映させるか否かについても主催会社により設定可能であるが、いずれに場合も、ポイント及びレベルは、下位会員の計算から上位集計として引き渡された数字に、自分の分のポイントや１レベルを加算して上位会員の計算に引き渡す処理を繰り返すことで、上位側の会員に集計や積算の結果を順次引き継いで計算を進めることができる。
【００５４】
そして、最上位会員の右ライン側で上位計上された右ポイントと（ステップＳ１３）左ライン側における同様の左ポイントの算出が終了すると（ステップＳ１４）、追加ポジションが存在する場合は（ステップＳ１５）、同様の計算処理を追加ポジションについても行う（ステップＳ１６からＳ２１）。そして、メインポジションと追加ポジションのそれぞれについて、以上のように得た右ポイントと左ポイントや上位集計されたレベルなどに基づいてボーナスを算出して合算し（ステップＳ２２）、合算したボーナスを会員に支給する（ステップＳ２３）。
【００５５】
以上のような計算の例を図５に示す。この例では、会員Ａの左ラインは積算値６（６ポイント）で６レベル、一方、右ラインについては、積算値８（８ポイント）で、レベルは深いほうの５レベルとなる。会員Ａについては、これら両ラインのうち少ない方に基づいたポイント及びレベルとなり、まず、ポイントは、左ラインで上位集計された積算値６に基づき６ポイント、レベルは、右ラインで深い方の５レベルとなる。
【００５６】
これらポイント及びレベルに基づいて、ボーナス金額は、６ポイント×単価１０００円＝６０００円、５レベル×単価４０００円＝２００００円の計２６０００円、のように計算される。
【００５７】
〔５．効果〕
以上のように、本実施形態によれば、商品ポイント記憶手段３０、ポイント判断手段３２などにより、商品の価格帯など種類ごとに予め定めたポイントを、購買実績に応じて一つのポジションでいくつでも取得させ、またレベルにも反映可能とすることにより、ポイントやレベルの頭打ちが避けられ、異なる価格帯など複数種類の商品アイテムの設定取扱いと販売が容易となり、効果的な販売活動促進と組織拡大が可能となる。特に、商品の種類と種類ごとのポイント設定を見直すことで、主催者が事情に応じて複数の価格帯や種類の商品の販売促進をきめ細かく制御可能となる。
【００５８】
また、本実施形態では、ボーナス計算基準記憶手段４０、ボーナス計算手段４５などにより、下位会員のグループを持つ会員のポジションについて、購買実績に基づくポイント、レベル、組織情報に基づいてボーナスを算出し支払うことにより、自分や下位会員の購買数量を増やす努力、下位会員の活動を継続してもらう努力、レベルバイナリーにおけるグループの形に関する工夫が報いられ、販売活動や組織拡大が効果的に促進される。また、そのボーナス計算基準を状況やポリシーなどに応じ改定することにより、連鎖販売取引の主催者が環境変化や発展段階に応じて、取引の組織と活動を適切に制御することが容易になる。
【００５９】
また、本実施形態では、従来と異なりポイントの発生した下位会員数でボーナスが頭打ちとならない本発明において、追加手段１５により、会員が追加ポジションをメインポジションと同時に限らずいつでも、グループの最後尾に限らず自分の直下に挿入可能とすることにより、自己購入分がボーナス計算の対象とならない場合でも追加ポジションで購入しメインポジションのボーナスに反映可能となる。また、追加ポジションを新たな分岐点として、自分に近い位置から開始する新組織を積極的に構築し報酬を受ける動機付けにより、組織拡大と販売活動促進も容易になる。
【００６０】
また、本実施形態は、メインポジションの直下に配置した追加ポジションについても、ポイント判断手段３２、レベル判断手段３５、ボーナス計算手段４５により、メインポジションと同様にポイント、レベル、ボーナスの計算対象とすることにより、自分や家族などの消費分を追加ポジションで購入する動機強化となり、また、追加ポジションに連なる新たな会員を勧誘登録することで自分に連なる組織も拡大可能となるので、商材の販売と組織の拡大が効果的に促進可能となる。
【００６１】
〔６．他の実施形態〕
なお、本発明は、上記実施形態に限定されるものではなく、以下に例示するものやそれ以外の他の実施形態も含むものである。例えば、データの処理手順やその記憶手段の構造は適宜変更可能であり、各会員ごとのポイントの集計値の計算は、ポイント判断手段やレベル判断手段に限らず、ポイント・レベル記憶集計手段その他の適宜な処理手段で行うようにしてもよい。
【００６２】
また、上記実施形態における説明及び図５の例では、最上位会員のポイントやレベルは、直下から始まる左ライン又は右ラインのうちポイントやレベルの集計値すなわち積算値が少ない方に基づいて定めたが、多いほうに基づいて定めてもよい。また、上記のボーナス計算の例では、レベル数に単価を乗じたが、レベル数から１を減じた上で単価を乗じるなど、具体的な計算基準は自由に定めることができる。
【図面の簡単な説明】
【００６３】
【図１】本発明の実施形態における情報処理システムのハードウェア構成を示す図。
【図２】本発明の実施形態における情報処理システムの構成を示す機能ブロック図。
【図３】本発明の実施形態における連鎖販売取引の手順を示すシーケンス図。
【図４】本発明の実施形態における情報処理システムによる処理手順を示すフローチャート。
【図５】本発明の実施形態における情報処理システムによるポイント及びレベルの計算例を示す概念図。
【図６】レベルバイナリーにおける組織の一例を示す図。
【図７】レベルバイナリーにおけるポイント及びレベルの計算例を示す概念図。
【符号の説明】
【００６４】
１０…登録受付手段
１２…会員情報記憶手段
１５…追加手段
２０…購買情報受付手段
２５…購買実績記憶手段
３０…商品ポイント記憶手段
３２…ポイント判断手段
３５…レベル判断手段
３８…ポイント・レベル記憶集計手段
４０…ボーナス計算基準記憶手段
４５…ボーナス計算手段
５０…出力手段
１００…処理部
１１０…中央処理装置
１２０…主記憶装置
１３０…入出力インターフェース
１４０…入力装置
１５０…出力装置
【図１】
2009146156.tif 000003
【図２】
2009146156.tif 000004
【図３】
2009146156.tif 000005
【図４】
2009146156.tif 000006
【図５】
2009146156.tif 000007
【図６】
2009146156.tif 000008
【図７】
2009146156.tif 000009